(57)【要約】【課題】ハンドルの角度を容易に変更することができ、ハンドルを確実に固定する。【解決手段】折り曲げ部を有する管本体１１と、管本体１１を支持するハンドル１２とから構成される。管本体１１の折り曲げ部に、係合凹部１５を有する管軸方向の突条１４が形成される。ハンドル１２は、管本体１１の折り曲げ部に、その管軸を含む平面に対して直交する回転軸としてのボルト２１を介して回転自在に取り付けられている。このハンドル１２に係合凹部１５に係合する向きに付勢された係合片２５が、ハンドル１２の回転軌道の径方向に移動可能に設けられる。これにより、ハンドル１２を一方の手で掴んだ状態で、その手で係合片２５の係合凹部１５との係合を解除するように移動させ、ハンドル１２を回転させることができる。また、係合片２５が係合凹部１５に係合する向きに付勢されているので、ハンドル１２が管本体１１に対して確実に固定される。【選択図】図２
0003127847.tif 000002
【実用新案登録請求の範囲】
【請求項１】
折り曲げ部を有する管本体(１１)と、前記管本体(１１)を支持するハンドル(１２)とからなり、前記管本体（１１）に複数の係合凹部（１５）が形成され、前記ハンドル(１２)は、前記管本体(１１)の折り曲げ部に、その管軸を含む平面に対して直交する回転軸(２１)を介して回転自在に取り付けられ、前記係合凹部(１５)に係脱する方向に移動可能でかつ前記係合凹部に係合する向きに付勢された係合片(２５)を有する消防用管鎗。
【請求項２】
上記ハンドル(１２)の係合片(２５)が、前記ハンドル(１２)の回転軌道の径方向に移動可能に設けられたことを特徴とする請求項１に記載の消防用管鎗。
【請求項３】
上記管本体(１１)の折り曲げ部に管軸方向の突条(１４)が形成され、この突条(１４)に上記係合凹部(１５)が形成され、この突条(１４)の外縁が上記ハンドル(１２)の回転軸(２１)の軸心を中心とする円周と一致するように形成されたことを特徴とする請求項２に記載の消防用管鎗。
【考案の詳細な説明】
【技術分野】
【０００１】
この考案は、消防ホースの先端に取り付けられ、消防ホースから送られる水や薬剤を先端部に取り付けた放水ノズルから放水させる消防用管鎗に関する。
【背景技術】
【０００２】
消火作業において、長期間安定した放水を実現するために、放水による反動力を軽減することができる、いわゆる、無反動型の消防用管鎗が用いられている。
【０００３】
この無反動型の消防用管鎗は、直管状のパイプの途中を折り曲げた管本体と、この管本体を支えるコの字状のハンドルとからなり、このハンドルを、管本体の折り曲げ部の外側に管軸を含む平面に直交する回転軸を介して回転自在に取り付けたものである（例えば、特開２０００−２４６３７７号公報  図１、２参照）。
【０００４】
上記ハンドルは、その回転軸にねじ止めされる締め付けナットを締め付けることにより管本体に固定され、その回転軸の軸心を中心にして管本体に対する角度を任意の角度に変更することができる。
【考案の開示】
【考案が解決しようとする課題】
【０００５】
しかし、上記消防用管鎗は、角度を変更する際、まず、締め付けナットを緩め、ハンドルを所望の角度に回転させて、その後、締め付けナットを締め直す必要があった。このため、ハンドルの角度を素早く変更することが難しい。
【０００６】
また、ハンドルは、上記締め付けナットの締め付けにより固定しているので、その締め付けが不十分であれば、作業者の身体に当たるなどしてハンドルが回転するおそれがあった。
【０００７】
そこで、ハンドルの角度を容易に変更することができ、ハンドルを確実に固定することを課題とする。
【課題を解決するための手段】
【０００８】
上記の課題を解決するために、折り曲げ部を有する管本体と、前記管本体を支持するハンドルとからなり、前記管本体に複数の係合凹部が形成され、前記ハンドルは、前記管本体の折り曲げ部に、その管軸を含む平面に対して直交する回転軸を介して回転自在に取り付けられ、前記係合凹部に係脱する方向に移動可能でかつ前記係合凹部に係合する向きに付勢された係合片を有する構成としたのである。
【０００９】
この構成によると、ハンドルの係合片を係合凹部との係合を解除するように移動させ、ハンドルを回転させて、係合片を他の係合凹部の位置に持ってくれば、その係合凹部に係合片が自動的に係合する。これにより、ハンドルの角度を容易に変更することができ、そのハンドルを管本体に対して確実に固定することができる。
【００１０】
上記構成において、上記ハンドルの係合片が、前記ハンドルの回転軌道の径方向に移動可能に設けられたものを採用すれば、ハンドルを一方の手で掴んだ状態で、その手で係合片の係合凹部との係合を解除するように移動させ、ハンドルを回転させることができるので、ハンドルの角度をより容易に変更することができる。
【００１１】
さらに、上記管本体の折り曲げ部に管軸方向の突条が形成され、この突条に上記係合凹部が形成され、この突条の外縁が上記ハンドルの回転軸の軸心を中心とする円周と一致するように形成された構成を採用することができる。この構成によれば、係合凹部との係合を解除したハンドルの係合片を、ハンドルの回転に伴って突条の外周面を摺動させることができる。このため、ハンドルを回転させる際、係合片を係合凹部との係合を解除した状態で保持して（引き上げて）おく必要がない。
【考案の効果】
【００１２】
以上のように構成したので、この考案は、ハンドルの角度の変更を容易に行うことができ、そのハンドルを確実に固定することができる。
【考案を実施するための最良の形態】
【００１３】
以下、この考案の実施形態を図１〜図５に示す。
この実施形態の消防用管鎗１０は、図１に示すように、直管状のパイプを長さ方向の途中で折り曲げた管本体１１と、この管本体１１をその折曲げ部で支持するハンドル１２とから構成される。
【００１４】
上記管本体１１は、その一端部に放水ノズルＮを、他端部に消防ホースＨ（図４参照）をそれぞれ着脱自在に連結する取付金具３１、３２が取り付けられている。この管本体１１を折り曲げたことにより、消防ホースから供給される加圧された水や薬剤等に方向性を付与して、放水時の反動による管本体１１のぶれを軽減している。
【００１５】
上記管本体１１の放水ノズルＮの取付金具３１寄りには、半円状のフック係止板３３が、消防ホースＨの取付金具３２寄りには矩形のバンド固定板３４が取り付けられている。このフック係止板３３にバンド（２点鎖線参照）の一端部に取り付けたフックを引っ掛け、バンド固定板３４にバンドの他端部を固定することにより、作業者がバンドを肩に掛けて消防用管鎗１０を支えることができる（図２参照）。
【００１６】
図２に示すように、この管本体１１の折り曲げ部の外周面の内側（管本体１１の折り曲げ部を挟んで両側の直管状のパイプがなす劣角側）に、円筒状の軸受部１３が設けられる。この軸受部１３の軸心が、管本体１１の管軸を含む平面に対して直交している。
【００１７】
また、この管本体１１の折り曲げ部の外周面の外側（管本体１１の折り曲げ部を挟んで両側の直管状のパイプがなす優角側）に、突条１４が一体に設けられている。
【００１８】
上記管本体１１を支持するハンドル１２は、手でつかむ把持棒１７の両端から側板１８が同じ向きに、かつ先端部に向かって互い接近するように延びたものである。この両側板１８、１８の先端部に円筒状の軸受部１９が互いに同軸状態に設けられている。
【００１９】
このハンドル１２は、その両側板１８、１８で管本体１１の外側から跨ぐように、両軸受部１９を管本体１１の軸受部１３の両側に同軸状態に配置したものである。このハンドル１２の両軸受１９と、管本体１１の軸受部１３とに回転軸としてボルト２１を挿通し、ナット２２でねじ止めする。これにより、ハンドル１２が管本体１１に対して回転自在に取り付けられる（図２一点鎖線参照）。
【００２０】
上記ハンドル１２の両側板１８間に掛け渡すように、中桟２３が一体に設けられ、この中桟２３の中央に、円筒状の支持筒２４が一体に設けられている。この支持筒２４は、その筒軸がハンドル１２の回転軌道の径方向となるように設けられたものであり、その内部に棒状の係合片２５が挿通される。これにより、この係合片２５が、支持筒２４内をハンドル１２の回転軌道の径方向に移動可能となっている。
【００２１】
上記係合片２５は、図３に示すように、ハンドル１２の把持棒１７側の端部にＴの字状の引き上げ片２６がナットを介してねじ止めされたものである。支持筒２４内に圧縮状態にコイルばね２７が取り付けられ、そのコイルばね２７の復元力によって、係合片２５が、管本体１１の突条１４の後述する係合凹部１５に係合する向きに付勢されている。
【００２２】
上記管本体１１の突条１４は、その外縁が管本体１１の軸受部１３の回転軸としてのボルト２１の軸心を中心とする円周と一致するように形成されたものである。その突条１４の外周面には、径方向の係合凹部１５が所定の間隔をもって複数形成されている。突条１４の外縁が円周と一致するようになっているので、係合片２５を引き上げて、ハンドル１２を回転させながら係合片２５を突条１４の外周面を摺動させることができる。これにより、ハンドル１２を回転させる際、係合片２５を係合凹部１５との係合を解除した状態で保持して（引き上げて）おく必要がない。
【００２３】
この各係合凹部１５は、ハンドル１２の係合片２５が係合して、ハンドル１２を管本体１１に対して所要角度をもって固定させることができる。なお、突条１４に形成された各係合凹部１５は、径方向に形成された切り欠きや穴等、係合片２５が嵌り込むことにより、ハンドル１２の回転を規制できるものであればよい。
【００２４】
上記突条１４の外周面の周方向の両端部にそれぞれ突起１６が形成される。この突起１６に係合片２５が当たることにより、ハンドル１２が必要以上に回転するのを防止するとともに、管本体１１にハンドル１２が当るのを防止する。
【００２５】
以下、この消防用管鎗１０の使用方法について説明する。
この消防用管鎗１０は、図４（ａ）に示すように、管本体１１の放水ノズル取付金具３１に放水ノズルＮを、また、消防ホース取付金具３２に消防ホースＨをそれぞれ連結し、一方の手で管本体１１の放水ノズル側を持ち、他方の手でハンドル１２を掴んで放水ノズルＮから放水を行う。
【００２６】
このハンドル１２の角度を変更するには、まず、ハンドル１２の把持棒１７に手を掛けながら、係合片２５を引き上げ片２６に指をかけて係合凹部１５との係合を解除するよう引き上げる。次に、ハンドル１２を回転させながら係合片２５を突条１４の外周面を摺動させ、他の係合凹部１５の位置に持ってくれば、その係合凹部１５に係合片２５が自動的に係合する。これにより、片手でハンドル１２の角度を容易に変更することができ、そのハンドル１２を管本体１１に対して確実に固定することができる。
【００２７】
また、図４（ｂ）に示すように、上記消防用管鎗１０を地面に設置して、作業者が管本体１１を支えるようにして放水を行うこともできる。この場合、放水による反動力をハンドル１２を介して地面で受けることができる。また、図５に示すように、ハンドル１２の角度を変更することで、放水角度を変更でき、効果的に放水を行うことができる。さらに、図４（ｃ）に示すように、作業者が管本体１１を支えずに、上記消防用管鎗１０を地面に設置した状態で放水させることもできる。
【図面の簡単な説明】
【００２８】
【図１】実施形態の消防用管鎗を示す斜視図
【図２】同上の消防用管鎗を示す一部切欠側面図
【図３】図２のＡ−Ａ拡大断面図
【図４】（ａ）同上の消防用管鎗の使用状態図、（ｂ）同上の消防用管鎗の他の使用状態図、（ｃ）同上の消防用管鎗の他の使用状態図
【図５】同上の消防用管鎗を地面に置き、放水角度を変えた状態の側面図
【符号の説明】
【００２９】
１０  消防用管鎗
１１  管本体
１２  ハンドル
１３  軸受部
１４  突条
１５  係合凹部
１６  突起
１７  把持棒
１８  側板
１９  軸受部
２１  ボルト（回転軸）
２２  ナット
２３  中桟
２４  支持筒
２５  係合片
２６  引き上げ片
２７  コイルばね
３１  放水ノズル取付金具
３２  消防ホース取付金具
３３  フック係止板
３４  バンド固定板
【図１】
0003127847.tif 000003
【図２】
0003127847.tif 000004
【図３】
0003127847.tif 000005
【図４】
0003127847.tif 000006
【図５】
0003127847.tif 000007